(57)【要約】【課題】ツールバーがインストールされた電子装置で個別ドメインアドレスに対して特化されたツールバーのボタン構成を提供する方法及びサーバを提供する。【解決手段】ドメインに関する特化ボタンを自動で構成するツールバーボタン管理方法は、ウェブブラウザでドメインアドレスを読み出すステップと、ドメインアドレスがプリセットされたドメインアドレスであるかを判断するステップと、ドメインアドレスがプリセットされた場合、ボタン構成情報に基づいてツールバーのボタン構成を自動変更するステップと、ツールバーの変更されたボタン構成を表示するステップとを含んでもよい。【選択図】図１
2014021975.tif 000002
【特許請求の範囲】
【請求項１】
ツールバーがインストールされた電子装置によって行われる方法であり、
ウェブブラウザでドメインアドレスを読み出し、
前記ドメインアドレスがプリセットされたドメインアドレスであるかを判断し、
前記ドメインアドレスがプリセットされたドメインアドレスである場合、ボタン構成情報に基づいて前記ツールバーのボタン構成を変更し、
前記ツールバーの変更されたボタン構成を表示すること、
を含むことを特徴とするドメインに関する特化ボタンを構成するツールバーボタン管理方法。
【請求項２】
前記ドメインアドレスがプリセットされたドメインアドレスであるかを判断するときには、前記ウェブブラウザでドメインアドレスを読み出すたびに管理サーバに接続して前記ドメインアドレスがプリセットされたドメインアドレスであるかを判断することを特徴とする請求項１に記載のドメインに関する特化ボタンを構成するツールバーボタン管理方法。
【請求項３】
前記ドメインアドレスがプリセットされたドメインアドレスであるかを判断することは、前記ツールバーを介して管理サーバに接続して前記ボタン構成情報を前記電子装置にダウンロードすることをさらに含むことを特徴とする請求項１に記載のドメインに関する特化ボタンを構成するツールバーボタン管理方法。
【請求項４】
前記ツールバーを介して管理サーバに接続して前記ボタン構成情報を前記電子装置にダウンロードすることは、定期的に前記管理サーバに最新ボタンの構成情報がアップロードされたかを確認してアップデートすることをさらに含むことを特徴とする請求項３に記載のドメインに関する特化ボタンを構成するツールバーボタン管理方法。
【請求項５】
前記ボタン構成情報は、ドメインアドレスごとにアドミンツールによって管理サーバに登録されてプリセットされることを特徴とする請求項１に記載のドメインに関する特化ボタンを構成するツールバーボタン管理方法。
【請求項６】
前記ドメインアドレスがプリセットされた場合、ボタン構成情報に基づいて前記ツールバーのボタン構成を変更するときには、前記ツールバーのボタンを移動させて配置を変更することを特徴とする請求項１に記載のドメインに関する特化ボタンを構成するツールバーボタン管理方法。
【請求項７】
前記ドメインアドレスがプリセットされた場合、ボタン構成情報に基づいて前記ツールバーのボタン構成を変更するときには、前記ツールバーのボタンを他のボタンに変更したり他のボタンを追加したりして前記ツールバーのボタン構成を変更することを特徴とする請求項１に記載のドメインに関する特化ボタンを構成するツールバーボタン管理方法。
【請求項８】
前記ドメインアドレスに対応する前記ボタン構成情報がない場合、デフォルトボタン構成を表示することを特徴とする請求項１に記載のドメインに関する特化ボタンを構成するツールバーボタン管理方法。
【請求項９】
前記ボタン構成情報はＸＭＬ形式であることを特徴とする請求項１に記載のドメインに関する特化ボタンを構成するツールバーボタン管理方法。
【請求項１０】
前記ツールバーのボタン構成を自動変更するか否かをオン／オフ設定することを特徴とする請求項１に記載のドメインに関する特化ボタンを構成するツールバーボタン管理方法。
【請求項１１】
通信装置と、
処理装置と、
前記処理装置による実行時に前記処理装置に処理を行わせる命令を含むコンピュータ記録媒体を含み、
前記処理は、
アドミンツールによってドメインアドレスごとにボタン構成情報が登録されてプリセットされ、
ツールバーがインストールされた電子装置からウェブブラウザが読み出したドメインアドレスがプリセットされたドメインアドレスであるかに関する判断をリクエストされ、
前記リクエストに応じて前記ドメインアドレスがプリセットされたドメインアドレスであるかを判断し、
プリセットされた場合、前記ドメインアドレスに対応するボタン構成情報をツールバーがインストールされた電子装置に送信すること、
を含むことを特徴とするドメインに関する特化ボタンを構成するツールバーボタン管理サーバ。
【請求項１２】
前記リクエストに応じて前記ドメインアドレスがプリセットされたドメインアドレスであるかを判断することは、前記ツールバーを介して前記ボタン構成情報を前記電子装置に送信することをさらに含むことを特徴とする請求項１１に記載のドメインに関する特化ボタンを構成するツールバーボタン管理サーバ。
【請求項１３】
前記ツールバーがインストールされた電子装置からウェブブラウザが読み出したドメインアドレスがプリセットされたドメインアドレスであるかに関する判断をリクエストされるときには、定期的に最新ボタンの構成情報がアップロードされたかに関する確認リクエストを受信することを特徴とする請求項１１に記載のドメインに関する特化ボタンを構成するツールバーボタン管理サーバ。
【請求項１４】
前記プリセットされた場合に前記ドメインアドレスに対応するボタン構成情報をツールバーがインストールされた電子装置に送信するときには、前記ツールバーのボタンを移動させて配置を変更させる前記ボタン構成情報を送信することを特徴とする請求項１１に記載のドメインに関する特化ボタンを構成するツールバーボタン管理サーバ。
【請求項１５】
前記プリセットされた場合に前記ドメインアドレスに対応するボタン構成情報をツールバーがインストールされた電子装置に送信するときには、前記ツールバーのボタンを他のボタンに変更したり他のボタンを追加して前記ツールバーのボタン構成を変更させる前記ボタン構成情報を送信することを特徴とする請求項１１に記載のドメインに関する特化ボタンを構成するツールバーボタン管理サーバ。
【請求項１６】
前記処理は、前記ドメインアドレスがプリセットされない場合、デフォルトボタン構成を表示させることを特徴とする請求項１１に記載のドメインに関する特化ボタンを構成するツールバーボタン管理サーバ。
【請求項１７】
前記ボタン構成情報はＸＭＬ形態であることを特徴とする請求項１１に記載のドメインに関する特化ボタンを構成するツールバーボタン管理サーバ。
【請求項１８】
前記動作は、前記ツールバーのボタン構成を自動変更するか否かをオン／オフ設定することを特徴とする請求項１１に記載のドメインに関する特化ボタンを構成するツールバーボタン管理サーバ。
【請求項１９】
請求項１〜請求項１０のいずれか１項に記載の方法を実行する命令語を含む１つ以上のプログラムを格納したコンピュータ読み取り可能な記録媒体。
【発明の詳細な説明】
【技術分野】
【０００１】
本発明は、ツールバーがインストールされた電子装置で行われるツールバーボタン管理方法に関する。特に、本発明は、ウェブブラウザで読み出したドメインアドレスがプリセットされた場合、最適化された構成でツールバーのボタン構成を変更して自動管理する方法及びサーバに関する。
【背景技術】
【０００２】
インターネットを通した情報アクセスは、ウェブブラウザ（Ｗｅｂ  Ｂｒｏｗｓｅｒ）によって行われるが、ユーザはウェブブラウザがインストールされたデスクトップパソコンなどの電子装置を介してウェブサイトサーバからの様々な情報を確認することができる。
【０００３】
従来技術では、ユーザがウェブブラウザを介して情報を獲得したい場合はウェブサイトサーバに接続しなければならず、そのためにアドレスウインドウにアドレスを入力する必要がある。ここで、アドレスはドメインネームまたはＩＰアドレスのようなＵＲＬ（Ｕｎｉｆｏｒｍ  Ｒｅｓｏｕｒｃｅ  Ｌｏｃａｔｉｏｎ）に入力されてもよい。例えば、特定ブログのウェブサイトに接続しようとする場合、アドレスとして「ｈｔｔｐ：／／ｂｌｏｇ．ＡＡＡ．ｃｏｍ／ＢＢＢ」をウェブブラウザのアドレスウインドウに直接入力する。
【０００４】
しかし、このような方法によればウェブサイトに接続するたびにアドレスを入力しなければならず、ユーザが獲得したい情報または情報が位置するウェブサイトのアドレスに対して正確に認知することができず、別途のキーワードに対する検索が必要な場合にはポータルサイトアドレスを入力して接続した後、再びキーワード検索を行わなければならないという不便がある。
【０００５】
他の従来技術として、このような不便を解消しようとコンテンツ提供者は、ユーザの情報アクセスを容易にするためにツールバー（Ｔｏｏｌｂａｒ）サービスを提供している。ツールバーは、ウェブブラウザの所定領域で活性化されるキーワード入力ウインドウをはじめとして様々な付加機能ボタンを含む道具として、ウェブブラウザを通したインターネットの検索をより便利にする。
【０００６】
ただし、ツールバーはインターネットに存在するウェブサイト全般に対して汎用的な便利さを提供するだけであり、個別のウェブサイトに対して特化されたサービスを提供する技術が求められている。
【発明の概要】
【発明が解決しようとする課題】
【０００７】
本発明の目的の一つは、ツールバーがインストールされた電子装置でウェブサイトに接続すれば、ツールバーボタン構成を個別ドメインアドレスに対して特化されたツールバーボタン構成に変更する方法及びサーバを提供することである。
【０００８】
本発明の目的の一つは、ツールバーがインストールされた電子装置で、ツールバーのボタン構成を、個別ドメインアドレスに対して特化されたツールバーボタン構成によりボタンの配置を変更したりボタンを追加したりする方法及びサーバを提供することである。
【０００９】
本発明の目的の一つは、ツールバーがインストールされた電子装置で、ウェブブラウザで接続した個別ドメインアドレスに対して特化されたツールバーボタン構成が、アドミンツールによってプリセットされる方法及びサーバを提供することである。
【００１０】
本発明の目的の一つは、ツールバーがインストールされた電子装置で、ウェブブラウザで接続した個別ドメインアドレスに対して特化されたツールバーボタン構成を、定期的にアップデートする方法及びサーバを提供することである。
【課題を解決するための手段】
【００１１】
本発明の一実施形態によれば、ツールバーがインストールされた電子装置によって行われる、ウェブブラウザでドメインアドレスを読み出し、ドメインアドレスがプリセットされたドメインアドレスであるかを判断し、ドメインアドレスがプリセットされた場合、ボタン構成情報に基づいてツールバーのボタン構成を自動変更し、ツールバーの変更されたボタン構成を表示することを含む、ドメインに関する特化ボタンを自動で構成するツールバーボタン管理方法が提供される。
【００１２】
本発明の他の実施形態によれば、ドメインアドレスがプリセットされたドメインアドレスであるかを判断するときには、ウェブブラウザでドメインアドレスを読み出すときに管理サーバに接続して、ドメインアドレスがプリセットされたドメインアドレスであるかを判断する、ドメインに関する特化ボタンを自動で構成するツールバーボタン管理方法が提供されてもよい。
【００１３】
本発明の他の実施形態によれば、ドメインアドレスがプリセットされたドメインアドレスであるかを判断するときには、ツールバーを介して管理サーバに接続して、ボタン構成情報を電子装置にダウンロードするステップをさらに含む、ドメインに関する特化ボタンを自動で構成するツールバーボタン管理方法が提供されてもよい。
【００１４】
本発明の他の実施形態によれば、ツールバーを介して管理サーバに接続してボタン構成情報を電子装置にダウンロードするときには、定期的に管理サーバに最新ボタンの構成情報がアップロードされたかを確認してアップデートする、ドメインに関する特化ボタンを自動で構成するツールバーボタン管理方法が提供されてもよい。
【００１５】
本発明の他の実施形態によれば、ボタン構成情報は、ドメインアドレスごとにアドミンツールによって管理サーバに登録されてプリセットされる、ドメインに関する特化ボタンを自動で構成するツールバーボタン管理方法が提供されてもよい。
【００１６】
本発明の他の実施形態によれば、ドメインアドレスがプリセットされた場合、ボタン構成情報に基づいてツールバーのボタン構成を自動変更するときには、ツールバーのボタンを移動させて配置を変更する、ドメインに関する特化ボタンを自動で構成するツールバーボタン管理方法が提供されてもよい。
【００１７】
本発明の他の実施形態によれば、ドメインアドレスがプリセットされた場合、ボタン構成情報に基づいてツールバーのボタン構成を自動変更するときには、ツールバーのボタンを他のボタンに変更したり他のボタンを追加したりしてツールバーのボタン構成を変更する、ドメインに関する特化ボタンを自動で構成するツールバーボタン管理方法が提供されてもよい。
【００１８】
本発明の他の実施形態によれば、ドメインアドレスに対応するボタン構成情報がない場合、デフォルトボタン構成を表示することをさらに含む、ドメインに関する特化ボタンを自動で構成するツールバーボタン管理方法が提供されてもよい。
【００１９】
本発明の他の実施形態によれば、ボタン構成情報はＸＭＬ形式である、ドメインに関する特化ボタンを自動で構成するツールバーボタン管理方法が提供されてもよい。
【００２０】
本発明の他の実施形態によれば、ツールバーのボタン構成を自動変更するか否かをオン／オフ設定することをさらに含む、ドメインに関する特化ボタンを自動で構成するツールバーボタン管理方法が提供されてもよい。
【００２１】
本発明の他の実施形態によれば、ドメインに関する特化ボタンを自動で構成するツールバーボタン管理サーバサーバは、通信装置と、処理装置と、処理装置による実行時に処理装置が動作を行わせる命令を含むコンピュータ格納媒体を含み、動作は、アドミンツールによってドメインアドレスごとにボタン構成情報が登録されてプリセットされ、ツールバーがインストールされた電子装置からウェブブラウザが読み出したドメインアドレスがプリセットされたドメインアドレスであるかに関する判断をリクエストされ、リクエストに応じてドメインアドレスがプリセットされたドメインアドレスであるかを判断し、プリセットされた場合、ドメインアドレスに対応するボタン構成情報をツールバーがインストールされた電子装置に送信することを含む。
【００２２】
本発明の他の実施形態によれば、ドメインに関する特化ボタンを自動で構成するツールバーボタン管理サーバにおいて、リクエストに応じてドメインアドレスがプリセットされたドメインアドレスであるかを判断するステップは、ツールバーを介してボタン構成情報を電子装置に送信するステップをさらに含んでもよい。
【００２３】
本発明の他の実施形態によれば、ドメインに関する特化ボタンを自動で構成するツールバーボタン管理サーバにおいて、ツールバーがインストールされた電子装置からウェブブラウザが読み出したドメインアドレスがプリセットされたドメインアドレスであるかに関する判断をリクエストされるステップは、定期的に最新ボタンの構成情報がアップロードされたかに関する確認リクエストを受信することをさらに含んでもよい。
【００２４】
本発明の他の実施形態によれば、ドメインに関する特化ボタンを自動で構成するツールバーボタン管理サーバにおいて、前記プリセットされた場合に前記ドメインアドレスに対応するボタン構成情報をツールバーがインストールされた電子装置に送信するステップは、前記ツールバーのボタンを移動させて配置を変更させる前記ボタン構成情報を送信することを含んでもよい。
【００２５】
本発明の他の実施形態によれば、ドメインに関する特化ボタンを自動で構成するツールバーボタン管理サーバにおいて、前記プリセットされた場合に前記ドメインアドレスに対応するボタン構成情報をツールバーがインストールされた電子装置に送信するときには、前記ツールバーのボタンを他のボタンに変更し又は他のボタンを追加して前記ツールバーのボタン構成を変更させる前記ボタン構成情報を送信してもよい。
【００２６】
本発明の他の実施形態によれば、ドメインに関する特化ボタンを自動で構成するツールバーボタン管理サーバにおいて、ドメインアドレスがプリセットされない場合、デフォルトボタン構成を表示させてもよい。
【００２７】
本発明の他の実施形態に係るドメインに関する特化ボタンを自動で構成するツールバーボタン管理サーバにおいて、ボタン構成情報はＸＭＬ形式であってもよい。
【００２８】
本発明の他の実施形態に係るドメインに関する特化ボタンを自動で構成するツールバーボタン管理サーバにおいて、ツールバーのボタン構成を自動変更するか否かをオン／オフ設定してもよい。
【発明の効果】
【００２９】
本発明の一実施形態によると、ユーザはツールバーを介してウェブサイトをより便利に検索することができる。
【００３０】
本発明の一実施形態によると、ユーザは個別ドメインアドレスごとに最適化されたボタン構成を有するツールバーを介してユーザがウェブサイトを検索するために消耗される時間及び費用を減少させることができる。
【図面の簡単な説明】
【００３１】
【図１】本発明の一実施形態に係るツールバーがインストールされた電子装置、ツールバーボタン管理サーバ、ウェブサイトサーバの関係を概略的に示す図である。
【図２】本発明の一実施形態に係るツールバーのボタン構成を個別ドメインアドレスに特化されたボタン構成に変更する方法を示したフローチャートである。
【図３】本発明の他の一実施形態に係るツールバーのボタン構成を個別ドメインアドレスに特化されたボタン構成に変更する方法を示したフローチャートである。
【図４】本発明の他の一実施形態に係るツールバーのボタン構成を個別ドメインアドレスに特化されたボタン構成に変更する方法を示したフローチャートである。
【図５】本発明の一実施形態に係るツールバーのボタン構成を個別ドメインアドレスに特化されたボタン構成に変更する方法を示す図である。
【図６】本発明の他の一実施形態に係るツールバーのボタン構成を個別ドメインアドレスに特化されたボタン構成に変更する方法を示す図である。
【図７】本発明の一実施形態に係るツールバーボタン管理サーバの細部的な構成を示すブロック図である。
【図８】本発明の他の一実施形態に係るツールバーボタン管理サーバの細部的な構成を示すブロック図である。
【発明を実施するための形態】
【００３２】
以下、添付された図面に記載された内容を参照して各実施形態を詳細に説明する。
【００３３】
図１は、一実施形態に係るツールバーがインストールされた電子装置１１０、ツールバーボタン管理サーバ１２０、ウェブサイトサーバ１３０の関係を概略的に示す図である。
【００３４】
電子装置１１０はツールバーが設けられた装置である。電子装置１１０としては、デスクトップパソコン、ノート型パソコン及びその他のツールバーを介してツールバーボタン管理サーバ１２０に接続してツールバーボタン構成を変更することのできる全ての装置を含んでもよい。具体的には、ウェブブラウザによってウェブサイトのドメインに対するアドレスを読み出してプリセット（ｐｒｅｓｅｔ）されたアドレスであるかを判断し、プリセットされた場合には、サーバに登録されたツールバー構成情報に基づいてツールバーのボタン構成を自動変更して表示してもよい。
【００３５】
ツールバーボタン管理サーバ１２０は電子装置１１０とツールバーを介して通信できるサーバである。ツールバーボタン管理サーバ１２０は、ドメインアドレスごとのボタン構成情報を登録してプリセットしてもよい。具体的には、サーバの運用者がアドミンツールを用いて最新ボタンの構成情報をツールバーボタン管理サーバ１２０に登録またはアップデートしてもよく、ドメインアドレスごとのボタン構成情報は管理サーバ内の記憶媒体またはデータベースに保存されてもよい。
【００３６】
一実施形態によれば、個別ドメインアドレスに対するツールバーボタン構成がプリセットされたか否かをツールバーボタン管理サーバ１２０が直接判断し、その結果を電子装置１１０に送信したり、個別ドメインアドレスに対するボタン構成情報を電子装置１１０に送信したりして、電子装置１１０がプリセットされるか否かを判断可能にする。
【００３７】
ウェブサイトサーバ１３０は電子装置１１０がウェブブラウザを介して接続するウェブサイトのホストサーバである。ウェブサイトサーバ１３０には、ユーザはウェブサイトサーバ１３０のドメインアドレスを入力してウェブサイトサーバ１３０が提供するウェブサイトに接続してもよい。ここで、ドメインアドレスはドメインネームまたはＩＰアドレスのようなＵＲＬから入力されてもよい。
【００３８】
図２は、一実施形態に係るツールバーのボタン構成を個別ドメインアドレスに特化されたボタン構成に変更する方法を示したフローチャートである。
【００３９】
ステップ２１０において、ウェブブラウザでドメインアドレスを読み出す。ここで、ウェブブラウザは、ウェブ（ＷＷＷ）サービスを使用可能にするプログラムとしてＨＴＭＬに記述されたハイパーテキストを受けて表示する全てのプログラムを含んでもよい。具体的に、マイクロソフト（登録商標）のエクスプローラ（登録商標）（Ｅｘｐｌｏｒｅｒ（登録商標））、グーグル（登録商標）のクロム（登録商標）（Ｃｈｒｏｍｅ（登録商標））及びモジラのファイアフォックス（登録商標）（Ｆｉｒｅｆｏｘ（登録商標））などがある。
【００４０】
ステップ２２０において、ドメインアドレスがプリセットされたドメインアドレスであるかを判断する。ここでは、ウェブブラウザが接続したドメインアドレスに対して特化されたツールバーのボタン構成情報が予め設定されている場合には、プリセットされたドメインアドレスであると判断する。一実施形態によれば、ウェブブラウザが読み出したドメインアドレスがプリセットされたドメインアドレスであるかに関する判断を、ツールバーを用いて、管理サーバにリクエストしたり、管理サーバから個別ドメインアドレスに対するツールバーのボタン構成情報をダウンロードしたりして電子装置が直接にプリセットされたドメインアドレスであるかを判断する。
【００４１】
ここで、ウェブブラウザで読み出したドメインアドレスがプリセットされたドメインアドレスであるか否かの判断は、ドメインアドレス、ウェブサイトに含まれるスクリプト、及びその他ドメインアドレスに対応するウェブサイトのカテゴリーを特定することのできるデータのように最適化されたツールバーボタンを提供するために必要な全ての資料を用いて行われる。一実施形態によれば、ウェブサイトのカテゴリーは、ブログ、ニュース、ゲーム及びその他の分類を含んでもよく、カテゴリー別に分類して最適化されたボタン構成が提供されてもよい。
【００４２】
そして、ステップ２３０において、ウェブブラウザが読み出したドメインアドレスがプリセットされた場合、ボタン構成情報に基づいてツールバーのボタン構成を自動変更する。ここで、ツールバーのボタン構成情報は、ＸＭＬ（ｅＸｔｅｎｓｉｂｌｅ  Ｍａｒｋｕｐ  Ｌａｎｇｕａｇｅ）形式としてツールバーがインストールされた電子装置に送信されてもよく、ボタンの位置、配列、ボタンが有する機能及びその他ツールバーを通したウェブブラウジングで用いられる機能を提供するために必要な全ての情報を含んでもよい。例えば、ボタン構成情報は、ツールバーのボタンを移動させてボタンの配置を変更させる情報、ツールバーのボタンを他のボタンに変えたり、他のボタンを追加したりしてツールバーのボタン構成を変更させる情報などを含んでもよい。
【００４３】
また、ツールバーのボタン構成を自動変更するか否かはユーザが選択し、ツールバー自体で提供する環境設定に応じてオン／オフ設定してもよい。例えば、環境設定のチェックボックスを選択／非選択することによって、ツールバーのボタン構成を自動変更するか否かの機能を有効／無効に設定してもよい。
【００４４】
続いて、ステップ２４０において、ツールバーの変更されたボタン構成をウェブブラウザ上に表示する。ここで、ツールバーのボタンは、テキスト、イメージ、テキストまたはイメージを結合した形態及びその他の形態で表示されてもよい。
【００４５】
そして、ステップ２５０において、ステップ２３０でウェブブラウザが読み出したドメインアドレスに対応するボタン構成情報がない場合として、すなわち、ドメインアドレスがプリセットされない場合として、デフォルト（ｄｅｆａｕｌｔ）ボタン構成を表示してもよい。一実施形態によれば、デフォルトボタン構成は、ツールバー内の検索ウインドウ、人気度、日韓翻訳、メール、辞書で構成されるが、これに限定されることなく、ユーザに応じて相違に設定されてもよい。また、ユーザがログインする予め生成されたアカウントにツールバーのボタン構成を格納することによって、ツールバーのボタン設定を統合的に管理することができる。
【００４６】
図３は、他の一実施形態に係るツールバーのボタン構成を、個別ドメインアドレスに特化されたボタン構成に、変更する方法を示したフローチャートである。ここで、ツールバーボタン管理サーバ３２０は、ドメインアドレスがプリセットされたか否かを判断する。
【００４７】
ステップ３０１において、ツールバーがインストールされた電子装置３１０が、ウェブサイトサーバ３３０からウェブブラウザを介してドメインアドレスを読み出す。
【００４８】
ステップ３０２において、アドミンツール３２１は、ドメインアドレスごとに、ツールバーボタン管理サーバ３２０にボタン構成情報を登録しプリセットする。ここで、アドミンツール３２１は、サーバ管理者によって設定されたボタン構成情報を管理サーバに登録してプリセットしたり、特定のアルゴリズムによって収集したユーザのパターンに基づき、ツールバーのボタン配置を含むボタン構成情報を、ツールバーボタン管理サーバ３２０に自動的に登録してプリセットしたりしてもよい。
【００４９】
そして、ステップ３０３において、電子装置３１０はウェブブラウザが読み出したドメインアドレスがプリセットされたか否かに関する判断をツールバー管理サーバ３２０にリクエストする。一実施形態によれば、電子装置は、ウェブブラウザがドメインアドレスを読み出すたびに常に、または、定期的に管理サーバにウェブブラウザで読み出したドメインアドレスがプリセットされたドメインアドレスであるか否かの判断をリクエストしてもよい。
【００５０】
そして、ステップ３０４において、ツールバーボタン管理サーバ３２０は、電子装置３１０からのリクエストに応じて、ウェブブラウザが読み出したドメインアドレスがプリセットされたか否かを判断する。具体的には、ツールバーボタン管理サーバ３２０は、ドメインアドレスに対応するツールバーのボタン構成情報が管理サーバのデータベースにあるかを比較して判断する。一実施形態によれば、ツールバーボタン管理サーバ３２０は必ずしもドメインの全体アドレスを備えて比較する必要がなく、一部のみを比較してもよい。例えば、「ｈｔｔｐ：／／ｂｌｏｇ．ＡＡＡ．ｃｏｍ／ＢＢＢ／１２４０９８５６」のようなドメインアドレスに対して「ｈｔｔｐ：／／ｂｌｏｇ．ＡＡＡ．ｃｏｍ／」の部分のみを比較してプリセットされたかを判断してもよい。
【００５１】
そして、ステップ３０５において、ツールバーボタン管理サーバ３２０は、ボタン構成情報を電子装置３１０に送信する。ここで、ドメインアドレスがプリセットされたか否かは管理サーバで予め判断したため、管理サーバに格納された全てのボタン構成情報ではなく、ウェブブラウザが読み出したドメインアドレスに対してプリセットされたボタン構成情報のみを送信することによって、消費されるトラフィックを低減することができる。
【００５２】
そして、ステップ３０６において、ツールバーがインストールされた電子装置３１０がボタン構成を表示する。ここで、ウェブブラウザが読み出したドメインアドレスに対してボタン構成情報がプリセットされた場合には変更されたボタン構成を表示してもよく、プリセットされない場合には変更していないデフォルトボタン構成をツールバーに表示してもよい。
【００５３】
図４は、他の一実施形態に係るツールバーのボタン構成を個別のドメインアドレスに特化されたボタン構成に変更する方法を示したフローチャートである。
【００５４】
ステップ４０１、ステップ４０２及びステップ４０６は、上述した図３に示すステップ３０１、ステップ３０２及びステップ３０６と同一である。アドミンツール４２１及びウェブサイトサーバ４３０は、図３に示すアドミンツール３２１及びウェブサイトサーバ３３０と同一である。
【００５５】
ステップ４０３において、ツールバーがインストールされた電子装置４１０がツールバーボタン管理サーバ４２０にツールバーボタン構成情報をリクエストする。一実施形態によれば、電子装置４１０は、ウェブブラウザがドメインアドレスを読み出すたびに常に、または、定期的に管理サーバにプリセット如何の判断をリクエストしてもよい。例えば、定期的にリクエストする場合、ユーザの環境設定に応じて、１日、７日、２週、１月に１回、またはその他の周期に特定周期が設定されてもよい。
【００５６】
ステップ４０４において、電子装置４１０は、ツールバーボタン管理サーバ４２０から、リクエストされたツールバーボタン構成情報をダウンロードする。一実施形態によれば、電子装置４１０はプリセットされた全てのドメインに対するツールバーのボタン構成情報をダウンロードするが、特定周期で定期的に最新ボタンの構成情報を確認してダウンロードするので、ツールバーボタン構成情報を定期的に更新することによってトラフィックを低減することができる。
【００５７】
そして、ステップ４０５において、電子装置４１０はドメインアドレスがプリセットされたか否かを判断する。具体的には、ドメインアドレスに対応するツールバーのボタン構成情報が電子装置４１０の記憶媒体にあるかを比較して判断する。
【００５８】
図５は、一実施形態に係るツールバーのボタン構成を個別ドメインアドレスに特化されたボタン構成に変更する方法を示す図である。ウェブブラウザ５００上にインストールされたツールバー５１０は、検索ウインドウをはじめとしてインターネットサーフィンで汎用的に用いられるボタン構成５１１を表示する。具体的には、図５においてドメインアドレスに対応するウェブサイト５０１はブログに該当し、ツールバーに提供されるボタン構成５１１は、人気、日韓翻訳、メール及び辞書のように表示されたウェブサイトと関連性の少ないボタンが配置されてもよい。一実施形態によれば、ドメインアドレスがプリセットされない場合、デフォルトボタン構成としてボタン構成５１１が上述のように表示されてもよい。
【００５９】
他の一実施形態に係るドメインアドレスがプリセットされた場合には、ツールバー５２０のボタン構成５２１をドメインアドレスに最適化されるように変更してもよい。ここでは、ボタンを移動させて変更したり、従来のボタンを他のボタンに変えたり、他のボタンを追加して変更してもよい。具体的には、ウェブサイト５０１はカテゴリーがブログに分類されるウェブサイトとして、ブログに最適化されたボタンとしてポストの書き込み、ネイバー（登録商標）を見る、スクラップ、及び辞書のようなボタンで構成されるように、ボタン構成５２１が自動変更されてもよい。一実施形態は、デフォルトボタン構成５１１を他のボタンに変えて変更した一例である。
【００６０】
図６は、他の一実施形態に係るツールバーのボタン構成を個別ドメインアドレスに特化されたボタン構成に変更する方法を示す図である。
【００６１】
一実施形態によれば、ウェブブラウザ６００が読み出したドメインアドレスはニュースカテゴリーに該当し、ニュースに最適化されたボタン構成が提供されてもよい。具体的に、ツールバー６１０のボタンが速報、ヒット数の多いニュース、天気、及び辞書のようなボタンを有するようボタン構成６１１が自動変更されてもよい。
【００６２】
他の一実施形態によれば、ウェブブラウザ６００が読み出したドメインアドレスはゲームカテゴリーに該当し、ゲームウェブサイト６０２に最適化されたボタン構成が提供されてもよい。具体的に、ツールバー６２０のボタンがゲーム実行、ゲームトーク、メール、辞書のようなボタンを有するようボタン構成６２１が自動変更されてもよい。
【００６３】
図７は、一実施形態に係るツールバーボタン管理サーバ７２０の構成を示すブロック図である。ここで、管理サーバは、通信装置７２１、処理装置７２２及び記録媒体７２３を備える。
【００６４】
通信装置７２１は、電子装置から最新ボタンの構成情報がアップロードされるかに関する確認リクエスト受信、ウェブブラウザが読み出したドメインアドレスがプリセットされたか否かに対する判断リクエスト受信、ツールバーのボタン構成情報の送信、及びその他個別ドメインアドレスに対して最適化されたボタン構成を提供するために必要な過程を行うことのできる全ての装置を含んでもよい。
【００６５】
処理装置７２２は、記録媒体７２３に格納されたプログラムによる動作を処理する装置として、ＣＰＵ及びその他のマイクロプロセッサーを含んでもよい。一実施形態によれば、処理装置７２２は、通信装置７２１によって受信したリクエストとして、記録媒体７２３にドメインアドレスに対応するツールバーのボタン構成情報があるかを比較することによって、ドメインアドレスがプリセットされたか否かを判断する。
【００６６】
記録媒体７２３は、処理装置７２２による実行時処理装置が処理を実行する命令を含むコンピュータ読み取り可能な記録媒体として、上述した動作はアドミンツールによってドメインアドレスごとにボタン構成情報が登録されてプリセットされるステップと、ツールバーがインストールされた電子装置からウェブブラウザが読み出したドメインアドレスがプリセットされたドメインアドレスであるかに関する判断をリクエストされるステップと、上述したリクエストに応じてドメインアドレスがプリセットされたドメインアドレスであるかを判断するステップと、プリセットされた場合、ドメインアドレスに対応するボタン構成情報をツールバーがインストールされた電子装置に送信するステップとを含んでもよい。ここで、記録媒体７２３は、例えば、ハードディスク、ＳＳＤ及びその他のプログラムを記録することのできるハードウェアであってもよい。
【００６７】
また、記録媒体７２３は、アドミンツールによって登録されてプリセットされる個別ドメインアドレスに対するツールバーのボタン構成を、記録及びアップデートしてもよい。
【００６８】
図８は、他の一実施形態に係るツールバーボタン管理サーバ８２０の構成を示すブロック図である。ここで、管理サーバは、プリセット登録部８２１、プリセット判断部８２２及び通信部８２３を備える。
【００６９】
プリセット登録部８２１は、アドミンツールによってドメインアドレスごとにボタン構成情報を登録し、プリセットするかアップデートしてもよい。
【００７０】
プリセット判断部８２２は、ツールバーがインストールされた電子装置からウェブブラウザが読み出したドメインアドレスがプリセットされたドメインアドレスであるかに関する判断リクエストに応じて、プリセットされたかを判断してもよい。
【００７１】
通信部８２３は、ツールバーがインストールされた電子装置から、ウェブブラウザが読み出したドメインアドレスがプリセットされたドメインアドレスであるかに関する判断リクエスト、または最新ボタンの構成情報に対する確認リクエストを受信してもよく、プリセットされたドメインアドレスに対応するボタン構成情報をツールバーがインストールされた電子装置に送信してもよい。
【００７２】
以上で説明した装置は、ハードウェア構成要素、ソフトウェア構成要素、及び／またはハードウェア構成要素及びソフトウェア構成要素の組合で実現されてもよい。例えば、実施形態で説明された装置及び構成要素は、例えば、プロセッサ、コントローラ、ＡＬＵ（ａｒｉｔｈｍｅｔｉｃ  ｌｏｇｉｃ  ｕｎｉｔ）、デジタル信号プロセッサ（ｄｉｇｉｔａｌ  ｓｉｇｎａｌ  ｐｒｏｃｅｓｓｏｒ）、マイクロコンピュータ、ＦＰＡ（ｆｉｅｌｄ  ｐｒｏｇｒａｍｍａｂｌｅ  ａｒｒａｙ）、ＰＬＵ（ｐｒｏｇｒａｍｍａｂｌｅ  ｌｏｇｉｃ  ｕｎｉｔ）、マイクロプロセッサー、または、命令（ｉｎｓｔｒｕｃｔｉｏｎ）を実行して応答することのできるいずれの装置のように、１つ以上の汎用コンピュータまたは特殊目的コンピュータを用いて実現されてもよい。処理装置は、オペレーティングシステム（ＯＳ）及び上述したＯＳ上で動作する１つ以上のソフトウェアアプリケーションが起動していてもよい。また、処理装置はソフトウェアの実行に応答し、データをアクセス、保存、操作、処理及び生成してもよい。理解の便宜のために、処理装置は１つが用いられるものと説明される場合もあるが、当該の技術分野で通常の知識を有する者は、処理装置が複数の処理要素（ｐｒｏｃｅｓｓｉｎｇ  ｅｌｅｍｅｎｔ）及び／または複数類型の処理要素を含んでいることが分かる。例えば、処理装置は、複数のプロセッサまたは１つのプロセッサ及び１つのコントローラを含んでもよい。また、並列プロセッサのような他の処理構成も可能である。
【００７３】
ソフトウェアは、コンピュータプログラム（ｃｏｍｐｕｔｅｒ  ｐｒｏｇｒａｍ）、コード（ｃｏｄｅ）、命令（ｉｎｓｔｒｕｃｔｉｏｎ）、または、このうちの１つ以上の組合を含んでもよく、希望のとおりに動作するよう処理装置を構成したり独立的または結合的に処理装置を命令してもよい。ソフトウェア及び／またはデータは、処理装置によって解釈されたり処理装置に命令またはデータを提供したりするために、ある類型の機械、構成要素、物理的装置、仮想装置、コンピュータ記録媒体または装置、または送信される信号波に永久的または一時的に具体化される。ソフトウェアは、ネットワークに接続されたコンピュータシステム上に分散し、分散された方法で格納保存されたり実行されてもよい。ソフトウェア及びデータは１つ以上のコンピュータ読み取りし可能な記録媒体に格納されてもよい。
【００７４】
実施形態に係る方法は、多様なコンピュータ手段を介して様々な処理を実行することができるプログラム命令の形態で実現され、コンピュータ読み取り可能な記録媒体に記録されてもよい。コンピュータ読取可能な媒体は、プログラム命令、データファイル、データ構造などのうちの１つまたはその組合せを含んでもよい。媒体に記録されるプログラム命令は、本発明の目的のために特別に設計されて構成されたものでもよく、コンピュータソフトウェア分野の技術を有する当業者にとって公知のものであり、使用可能なものであってもよい。コンピュータ読取可能な記録媒体の例としては、ハードディスク、フロッピー（登録商標）ディスク及び磁気テープのような磁気媒体、ＣＤ−ＲＯＭ、ＤＶＤのような光記録媒体、光ディスクのような光磁気媒体、及びＲＯＭ、ＲＡＭ、フラッシュメモリなどのようなプログラム命令を保存して実行するように特別に構成されたハードウェア装置が含まれてもよい。
【００７５】
上述したように、本発明を限定された実施形態と図面によって説明したが、本発明は、上記の実施形態に限定されることなく、本発明が属する分野における通常の知識を有する者であれば、このような実施形態から多様な修正及び変形が可能である。
【００７６】
したがって、本発明の範囲は、開示された実施形態に限定されるものではなく、特許請求の範囲だけではなく特許請求の範囲と均等なものなどによって定められるものである。
【符号の説明】
【００７７】
７２０  ツールバーボタン管理サーバ
７２１  通信装置
７２２  処理装置
７２３  記録媒体
【図１】
2014021975.tif 000003
【図２】
2014021975.tif 000004
【図３】
2014021975.tif 000005
【図４】
2014021975.tif 000006
【図５】
2014021975.tif 000007
【図６】
2014021975.tif 000008
【図７】
2014021975.tif 000009
【図８】
2014021975.tif 000010